(57)【要約】      （修正有）【課題】貯水タンク内における湯垢や浮遊物の蓄積を防止すると共に、貯水タンク内の温水の劣化を防止することが可能な入浴施設の温水供給装置を提供する。【解決手段】源泉２からの温水を貯水する貯水タンク３から温水を浴槽４に供給する入浴施設の温水供給装置１において、貯水タンク３に開口部１１を設け、その貯水タンク３に源泉２から温水を供給し続けて、開口部１１より温水をオーバーフローさせる。また、貯水タンク３に貯水された温水を浴槽４に供給する浴槽供給手段５を備え、入浴者が来場したことを知らせる信号を受信した場合、浴槽４への給水を開始する。更に、浴槽供給手段５は、入浴可能な量の温水を供給した後に、供給する湯量を減少させると共に温水の供給を継続する。【選択図】図１
2015202158.tif 000002
【特許請求の範囲】
【請求項１】
源泉からの温水を貯水する貯水タンクから温水を浴槽に供給する入浴施設の温水供給装置において、
前記貯水タンクに開口部を設け、前記貯水タンクに前記源泉から温水を供給し続けて、前記開口部より温水をオーバーフローさせることを特徴とする入浴施設の温水供給装置。
【請求項２】
前記貯水タンクに貯水された温水を浴槽に供給する浴槽供給手段を備え、
前記浴槽供給手段は、
入浴者が来場したことを知らせる信号を受信した場合、前記浴槽への給水を開始することを特徴とする請求項１に記載の入浴施設の温水供給装置。
【請求項３】
前記貯水タンクに貯水された温水を浴槽に供給する浴槽供給手段を備え、
前記浴槽供給手段は、
入浴可能な量の温水を供給した後に、供給する湯量を減少させると共に温水の供給を継続することを特徴とする請求項１に記載の入浴施設の温水供給装置。
【請求項４】
前記貯水タンクに貯水された温水を浴槽に供給する浴槽供給手段を備え、
前記浴槽供給手段は、
入浴者に退出を促すための信号を受信した場合、前記浴槽への給水を停止することを特徴とする請求項１に記載の入浴施設の温水供給装置。
【発明の詳細な説明】
【技術分野】
【０００１】
本発明は、入浴施設の温水供給装置に関し、特に、源泉からの温水を貯水する貯水タンクから温水を浴槽に供給する入浴施設の温水供給装置に関するものである。
【背景技術】
【０００２】
従来より、家族や友人などの少人数でプライバシーを保ちつつ入浴を楽しむことを目的とした入浴施設が提供されている。例えば、特許文献１は、複数の個室を備えた入浴施設であり、各個室に浴槽が備えられている。この入浴施設を利用すれば、少人数でプライバシーを保ちつつ入浴を楽しむことができる。
【０００３】
特許文献１の入浴施設の温水供給装置においては、貯水タンクが設けられている。なぜなら、源泉の温水の温度が入浴に適した温度でない場合、貯水タンクに一度温水を貯水して、温水を適正温度に調整する必要があるからである。また、源泉の供給湯量が少ない場合、複数の浴槽を温水で満たすのに時間がかかってしまうので、事前に一定量以上の温水を貯水タンクに貯水しておき、すぐに複数の浴槽を温水で満たすことができるようにする必要があるからである。
【先行技術文献】
【特許文献】
【０００４】
【特許文献１】特開２００９−３０８８１号公報
【発明の概要】
【発明が解決しようとする課題】
【０００５】
しかし、特許文献１のように貯水タンクを利用した場合、貯水タンク内に、湯垢や温泉の成分からなる浮遊物等が徐々に蓄積され、それが温水と共に浴槽へと供給されてしまう。よって、入浴者に不衛生なイメージを与えてしまうという問題点があった。また、休館日や閉店時においては、貯水タンク内の温泉水が入れ替わることがないため、温泉水が劣化してしまい、開店時に貯水タンクから新鮮な温泉水が供給できないという問題点があった。
【０００６】
本発明はこのような課題を解決するためのものであり、貯水タンク内における湯垢や浮遊物の蓄積を防止すると共に、貯水タンク内の温水の劣化を防止することが可能な入浴施設の温水供給装置を提供することを目的とする。
【課題を解決するための手段】
【０００７】
本発明は、前記課題を解決するため、源泉からの温水を貯水する貯水タンクから温水を浴槽に供給する入浴施設の温水供給装置において、貯水タンクに開口部を設け、貯水タンクに源泉から温水を供給し続けて、開口部より温水をオーバーフローさせる構成を有する。
【０００８】
これにより、開口部が設けられた貯水タンクに、源泉から温水を供給し続け、その開口部から温水をオーバーフローさせるので、貯水タンク内の湯垢や浮遊物が、オーバーフローした温水と共に開口部から排出される。また、貯水タンク内に源泉からの温水が常時供給され、貯水タンク内の温水が常に入れ替わる。
【発明の効果】
【０００９】
本発明は、貯水タンク内の湯垢や浮遊物が、オーバーフローした温水と共に開口部から排出される。よって、貯水タンク内に湯垢や浮遊物が蓄積することを防止することができ、清潔な温水を浴槽に供給できる。これにより入浴者に清潔なイメージを与えることができる。
また、源泉からの温水が貯水タンク内に常時供給され、貯水タンク内の温水が常に入れ替わる。よって、休館日や閉店時においても、貯水タンク内の温泉水の劣化を防止でき、開店時には貯水タンクから新鮮な温泉水を供給することができる。
【図面の簡単な説明】
【００１０】
【図１】本発明に係る入浴施設の温水供給装置の構成図である。
【図２】貯水タンクの概略図である。
【図３】来場通知装置の一例を示す構成図である。
【図４】浴槽の概略図である。
【発明を実施するための形態】
【００１１】
図１は、本発明に係る入浴施設の温水供給装置の実施形態の構成図である。
この入浴施設の温水供給装置１は、温泉の源泉２、貯水タンク３、個室風呂に各々設けられた浴槽４（浴槽４ａ、４ｂ等）、貯水タンク３から浴槽４に温水を供給する浴槽供給装置５（浴槽供給装置５ａ、５ｂ）、源泉１と貯水タンクとを繋ぐ貯水用パイプ６、貯水タンク３と浴槽４とを繋ぐ浴槽供給用パイプ７（浴槽供給用パイプ７ａ、７ｂ等）により構成されている。
また、浴槽給水装置５は、入浴者の来場を通知する来場通知装置８及び入浴時間を管理する入浴時間管理装置としてのタイマー９（タイマー９ａ、９ｂ）との間で電子信号の送受信が可能になるよう接続されている。また、来場通知装置８はタイマー９とも電子信号の送受信が可能になるよう接続されている。
【００１２】
図２は、貯水タンク３の概略を表した図である。貯水タンク３は、その上部に開口部１１が設けられている。源泉２から貯水用パイプ６を経由して温泉水を供給し、貯水タンク３に温水を貯める。
その際、貯水タンク３が満タンになっても温泉水の供給は止めず、温泉水の供給を続けるものとする。これにより温泉水が開口部１１よりオーバーフローし、貯水タンク３内に対流する湯垢や浮遊物が、オーバーフローした温泉水と共に開口部１１から排出される。ゆえに、貯水タンク３の中には常に清潔な温泉水が貯められることとなり、浴槽４にも清潔な温泉水が貯水タンク３から供給される。また、休館日や閉店後でも、貯水タンク３内の温水が常時入れ替わるので、温水の劣化を防止でき、温泉水を清潔に保つことができる。
【００１３】
貯水タンク３の容量は、温泉水が供給される全ての浴槽、すなわち浴槽４ａ、４ｂを複数回（少なくとも２回）満たす容量が望ましい。このような容量にすることにより、時間単位で入浴者に個室風呂を利用してもらう入浴施設において、入浴者の利用が終了する度に浴槽４ａ、４ｂの温泉水を抜いて洗浄を行っても、再度浴槽４ａ、４ｂを確実に満たすことが可能となる。これにより、どの入浴者も、清潔且つ新鮮な温泉水が供給された綺麗な浴槽で入浴を楽しむことが可能となる。
【００１４】
浴槽給水装置５は、浴槽用給水パイプ７を介して貯水タンク３内の温泉水を浴槽４に供給する。温泉水を供給する手段としては、浴槽用給水パイプ７の栓を開閉することにより浴槽４に温水を供給する手段や、ポンプを利用して浴槽４に温水を供給する手段などがあるが、これに限るものではない。
【００１５】
浴槽給水装置５は、入浴客の来場を通知する来場通知装置８及びタイマー９との間で電子信号の送受信が可能となるよう接続されている。
図３は、来場通知装置８の一例である。来場通知装置８は、入浴施設の受け付けなどに設置される装置であり、その正面に「浴室１」「浴室２」などの表示がされた押しボタン１２（押しボタン１２ａ、１２ｂ）が複数設けられている。入浴客が入浴施設に来場し、受付係に入浴料金の支払うと、受付係は「浴室１と表示されている浴室をご利用下さい。入浴時間は６０分です。」などと入浴客に伝える。それにより入浴客は指定された浴室に向かい、その際受付係は来場通知装置８の「浴室１」を押す。これより、来場通知装置８から浴槽給水装置５ａに対して信号（通知信号）が送られ、浴槽給水装置５ａは浴槽４ａの湯張りを開始する。これにより入浴客は新鮮な温水に入浴することができる。
【００１６】
浴槽給水装置５ａは浴槽４ａの湯張りを行った後（入浴可能な量の温泉水を供給した後）、温泉水の供給量を減らす。ただし、その際は温泉水の供給を止めることなく、湯張り時の供給量より少ない量の温泉水を供給し続けるものとする。温泉水の供給量を減らすタイミングは、例えば、一定時間温泉水を供給した後に供給量を減らすようにしてもよいし、浴槽４の所定の場所に水量を検知するセンサーを設け、センサーからの一定の水量に達したことを示す信号を受信し、その信号を受信した場合に供給量を減らすようにしてもよい（ただし、これに限るものではない）。
このように浴槽４への温泉水の供給を継続することにより、図４のように浴槽４から温泉水がオーバーフローする。これにより、入浴者が入浴した際に出る汚れが、浴槽４からオーバーフローする温泉水と共に排出され、浴槽４内の温泉を常に清潔な状態に保つことができる。
また、湯張りの時よりも温泉水の供給量を減らすので、無駄に温泉水を消費することがない。
【００１７】
タイマー９は、浴槽給水装置５及び来場通知装置８と電子信号の送受信が可能となるよう接続されている。受付係が来場通知装置８の「浴室１」を押すと、信号がタイマー９（９ａ）に送信される。タイマー９ａは来場通知装置８からの信号を受信することにより浴室１の入浴客の入浴時間（利用時間）の測定を開始する。タイマー９には、例えば「退出警告発信時間：５５分」が記憶されており、入浴客の入浴時間が「５５分」になった場合は、浴槽給水装置５に信号（入浴者に退出を促すための信号）を発信する。
【００１８】
タイマー９ａからの信号を受信した浴槽給水装置５ａは、浴槽への温泉水の供給を止める。これにより、入浴客は入浴時間（６０分）の終了が迫っていることを知ることができ、退出の準備をすることができる。
【符号の説明】
【００１９】
１  入浴施設の温水供給装置
２  源泉
３  貯水タンク
４  浴槽
５  浴槽給水装置
８  来場通知装置
９  タイマー
【図１】
2015202158.tif 000003
【図２】
2015202158.tif 000004
【図３】
2015202158.tif 000005
【図４】
2015202158.tif 000006